(57)【要約】      （修正有）【課題】複数のＳＳＩＤを備えた無線ＬＡＮアクセスポイント装置で、自動無線設定が適用できるＳＳＩＤを限定し、ＬＡＮのノードに来客の無線ＬＡＮステーション装置がアクセス防止し、場所等に依存する電波環境下で適切な無線周波数帯を選択できる方法を提供する。【解決手段】無線ＬＡＮアクセスポイント装置１の複数のＳＳＩＤのうち、少なくとも一つのＳＳＩＤに対して自動無線設定が行えるよう構成する。さらに、自動無線設定が行われるＳＳＩＤについて接続した無線ＬＡＮステーション装置１５についてはＷＡＮ８のみアクセスできるなどの制限を加えたり、使用できる周波数帯を限定したりして、自動無線設定で接続した無線ＬＡＮステーション装置１５を管理する。【選択図】図１
2019186878.tif 000002
【特許請求の範囲】
【請求項１】
複数のＳＳＩＤを有する無線ＬＡＮモジュールと、操作部とを備えた無線ＬＡＮアクセスポイント装置において、
前記無線ＬＡＮモジュールは、
前記操作部からの指示に基づき自動無線設定を実行し、
前記複数のＳＳＩＤのうち少なくとも１つのＳＳＩＤについて、自動無線設定を実行するよう構成されることを特徴とする無線ＬＡＮアクセスポイント装置。
【請求項２】
前記無線ＬＡＮモジュールは、ＬＡＮを介してＷＡＮに接続されており、前記自動無線設定で接続された無線ＬＡＮステーション装置に対しては、ＬＡＮ内のノードへのアクセスが禁止され、ＷＡＮにのみアクセスすることを許可する請求項１に記載の無線ＬＡＮアクセスポイント装置。
【請求項３】
前記少なくとも一つのＳＳＩＤと、その他のＳＳＩＤとは使用する無線周波数帯が異なる請求項１に記載の無線ＬＡＮアクセスポイント装置。
【請求項４】
前記操作部はプッシュボタンを備え、前記プッシュボタンを押すことにより自動無線設定が開始される請求項１乃至３いずれか１項に記載の無線ＬＡＮアクセスポイント装置。
【請求項５】
前記操作部は表示部を備え、前記自動無線設定を実行する際、自動無線設定に係るＳＳＩＤを表示する請求項１乃至４いずれか１項に記載の無線ＬＡＮアクセスポイント装置。
【発明の詳細な説明】
【技術分野】
【０００１】
この発明は、複数のＳＳＩＤ（Service Set Identifier）を有すると共に、複数のＳＳＩＤの内の少なくとも一つのＳＳＩＤについて自動無線設定が実行できる無線ＬＡＮ（Local Area Network）アクセスポイント装置に関する。
【背景技術】
【０００２】
無線ＬＡＮアクセスポイント装置に複数のＳＳＩＤを持たせ、ＳＳＩＤのそれぞれに異なる特性、例えば、通信速度を重視したＳＳＩＤ、通信の安定性を重視したＳＳＩＤを備えることが、特許文献１に開示されている。
【０００３】
特許文献１には、上述のような２つのＳＳＩＤに対して自動無線設定ができることが開示されている。自動無線設定は、無線ＬＡＮステーション装置で、ＳＳＩＤの選択やパスワードの入力することなく、簡単な操作で無線ＬＡＮ装置アクセスポイントと無線ＬＡＮステーション装置との通信の設定を行える。
【０００４】
このような自動無線設定手順の一つとして、例えばＷｉ−Ｆｉ（登録商標）アライアンスが規定しているＷＰＳ（Wi-Fi Protected Setup）が知られている。ＷＰＳの内、プッシュボタン方式（Push Button Configuration）がよく使用されている。プッシュボタン方式では、無線ＬＡＮアクセスポイント装置と無線ＬＡＮステーション装置とで同時にプッシュボタンを押すことにより、パスワードを入力することなく無線ＬＡＮの接続を確立できる。無線自動設定はＷＰＳ以外にも、メーカー独自の方式がいくつか知られている。
【０００５】
特許文献１の無線ＬＡＮアクセスポイント装置では、２つのＳＳＩＤのどちらか１つのＳＳＩＤでＷＰＳの設定を行い、無線子機から受信したProbe Request中に含まれるＭＡＣ（Media Access Control）アドレスやVender Option等の情報から、接続したＳＳＩＤが無線子機に適しているかどうか判定する。この判定がＹＥＳであれば、無線子機はそのＳＳＩＤにより無線アクセスポイントと通信を行う。上記ＭＡＣアドレスやVender Option等の情報から、接続したＳＳＩＤが無線子機に適していない場合には、もう一方のＳＳＩＤとの間で無線アクセスポイントと無線接続を確立するよう誘導する。
【先行技術文献】
【特許文献】
【０００６】
【特許文献１】特開２０１３−１３１９９３号
【発明の概要】
【発明が解決しようとする課題】
【０００７】
例えば、無線ＬＡＮを使用している事業所などに訪れた来客が、来客の所持するパーソナルコンピュータ（ＰＣ）、タブレット、スマートフォン等の無線ＬＡＮステーション装置で、インターネットに接続する場合を想定する。上述の自動無線設定を用いて、来客の無線ＬＡＮステーション装置を社内のＬＡＮに接続すると、インターネットだけではなく、事業所内のＬＡＮに接続されたサーバ、ＰＣ，ＮＡＳ（Network Attached Storage）等のノードにもアクセスすることができ好ましくない。
【０００８】
また、２．４ＧＨｚ帯のＳＳＩＤと、５ＧＨｚ帯のＳＳＩＤとを分けた場合、事業所内の電波の届きにくい場所で来客の端末が５ＧＨｚ帯のＳＳＩＤに接続してしまうと、無線通信が不安定となってしまう問題がある。５ＧＨｚ帯では、周波数（チャンネル）によっては野外での使用ができないチャンネルがある。また、レーダを検波したときには他のチャンネルに移動しなければならないといった制約もある（ＤＦＳ：Dynamic Frequency Selection）。
【０００９】
この発明は上記に鑑みなされたもので、自動無線設定が適用できるＳＳＩＤを限定し、ＬＡＮのノードに来客の無線ＬＡＮステーション装置がアクセス防止し、場所等に依存する電波環境下で適切な無線周波数帯を選択できるようにした無線ＬＡＮアクセスポイント装置の提供を目的としている。
【課題を解決するための手段】
【００１０】
この発明の第１の観点にかかる無線ＬＡＮアクセスポイント装置は、複数のＳＳＩＤを有する無線ＬＡＮモジュールと、操作部とを備えた無線ＬＡＮアクセスポイント装置において、前記無線ＬＡＮモジュールは、前記操作部からの指示に基づき自動無線設定を実行し、前記複数のＳＳＩＤのうち少なくとも１つのＳＳＩＤについて、自動無線設定を実行するよう構成されることを特徴としている。無線ＬＡＮアクセスポイント装置は、複数（Ｎ個：Ｎは自然数）のＳＳＩＤを有しているが、そのうちＮより小さい数ｎ（１≦ｎ＜Ｎ）個のＳＳＩＤについて自動無線設定ができる。
【００１１】
この発明の第２の観点にかかる無線ＬＡＮアクセスポイント装置は、前記無線ＬＡＮモジュールは、ＬＡＮを介してＷＡＮに接続されており、前記自動無線設定で接続された無線ＬＡＮステーション装置に対しては、ＬＡＮ内のノードへのアクセスが禁止され、ＷＡＮにのみアクセスすることを許可する。自動無線設定で接続されたＳＳＩＤでは、ＬＡＮ内のノードにアクセスできず、ファイル等が見られるのを防止することができる。
【００１２】
この発明の第３の観点にかかる無線ＬＡＮアクセスポイント装置は、前記少なくとも１つのＳＳＩＤと、その他のＳＳＩＤとは使用する無線周波数帯が異なる。無線ＬＡＮステーション装置は、電波環境に応じた適切な周波数帯のＳＳＩＤに自動無線設定により接続できる。
【００１３】
この発明の第４の観点にかかる無線ＬＡＮアクセスポイント装置は、前記操作部はプッシュボタンを備え、ユーザが前記プッシュボタンを押すことにより自動無線設定が開始され、容易に自動無線設定を実行することができる。
【００１４】
この発明の第５の観点にかかる無線ＬＡＮアクセスポイント装置は、前記操作部は表示部を備え、前記自動無線設定を実行する際、自動無線設定に係るＳＳＩＤを表示する。ユーザは、自動無線設定が行われるＳＳＩＤを容易に確認できる。
【発明の効果】
【００１５】
複数のＳＳＩＤを有する無線ＬＡＮアクセスポイント装置において、自動無線設定で接続できるＳＳＩＤを限定することにより、自動無線設定で接続される無線ＬＡＮステーション装置に適切な無線ＬＡＮサービスを提供できる。
【図面の簡単な説明】
【００１６】
【図１】発明の実施の形態にかかる無線ＬＡＮアクセスポイント装置の構成の概略を示すブロック図である。
【図２】上記無線ＬＡＮアクセスポイント装置の構成の要部を示すブロック図である。
【図３】上記無線ＬＡＮアクセスポイント装置の操作パネルを示す図である。
【図４】上記無線ＬＡＮアクセスポイント装置のＳＳＩＤへの自動無線設定の割り付け処理を説明するフロー図である。
【図５】上記無線ＬＡＮアクセスポイント装置の自動無線設定の処理を説明するフロー図である。
【図６】上記無線ＬＡＮアクセスポイントのＳＳＩＤに対して提供されるサービスの設定を説明する図である。
【発明を実施するための形態】
【００１７】
発明の実施の形態にかかる無線ＬＡＮアクセスポイント装置を、図１〜図６を参照しながら以下に説明する。図１は、無線ＬＡＮアクセスポイント装置１の概略構成を示している。無線ＬＡＮアクセスポイント装置１は、無線ＬＡＮモジュール２、ＵＴＭ（Unified Threat Management）モジュール４、ＮＡＳ（Network Attached Storage）モジュール５、電源モジュール６から構成されており、ＵＴＭ機能、ＮＡＳ機能を備えた無線ＬＡＮアクセスポイントとして機能する。
【００１８】
無線ＬＡＮモジュール２は、ＩＥＥＥ（The Institute of Electrical and Electronics Engineers, Inc.）８０２．１１ａ、ａｃ、ｂ、ｇ、ｎ等の規格に準拠し、インフラストラクチャー・モードのアクセスポイントとして機能する。無線ＬＡＮモジュール２は、多元接続（ＭＩＭＯ：Multiple Input Multiple Output）が可能となっており、３本のスリーブアンテナ３、…３を備えている。
【００１９】
ＵＴＭモジュール４は、ファイアウォール、アンチウイルス、不正アクセス遮断等のセキュリティ機能を備えたゲートウェイである。ＵＴＭモジュール４は、回線終端装置７を介してＷＡＮ（例えばインターネット）８に接続される。また、ＵＴＭモジュール４は、ＬＡＮケーブル１１ａを介して有線ＬＡＮ９に接続される。なお、以下の説明では有線ＬＡＮと無線ＬＡＮとを総称する用語として「ＬＡＮ」を用いるものとする。
【００２０】
ＮＡＳモジュール５は、詳細は後述するがハードディスクドライブ（ＨＤＤ）やソリッドステートドライブ（ＳＳＤ）を備えたファイルサーバとして機能する。ＮＡＳモジュール５は、ＬＡＮケーブル１１ｂを介してＵＴＭモジュール４と接続される。また、ＮＡＳモジュール５は、ＰＣＩ(Peripheral Component Interconnect) Ｅｘｐｒｅｓｓバス（以下ＰＣＩｅバスと略称する）１３により無線ＬＡＮモジュール２と接続される。
【００２１】
電源モジュール６は、商用電源１０からの交流（ＡＣ）１００Ｖを直流に変換し、無線ＬＡＮモジュール２、ＵＴＭモジュール４、ＮＡＳモジュール５に供給する。この実施の形態の無線ＬＡＮアクセスポイント装置１は、無線ＬＡＮモジュール２、ＵＴＭモジュール４、ＮＡＳモジュール５及び電源モジュール６を一つの筐体に収めている。なお、ＵＴＭモジュール３は省略してもよく、その場合には、有線ＬＡＮ９内に別に設けられたファイアーフォール、ＵＴＭを介してＷＡＮ８に接続してもよい。
【００２２】
次にＮＡＳモジュール５の構成を、図２を参照しながら説明する。ＳｏＣ（System on Chip）５１は、１又は２以上のＣＰＵ（Central Processing Unit）コアと、メモリコントローラや各種入出力インタフェースを一つのチップ上に形成した集積回路である。ＳｏＣ５１には、ＤＤＲＳＤＲＡＭ（Double-Data-Rate Synchronous Dynamic Random Access Memory）５２が接続される。ＤＤＲＳＤＲＡＭ５２は、ＳｏＣ５１内のＣＰＵコアのワークエリアとなり、各種プログラムや処理中のデータが展開される。
【００２３】
ＳｏＣ５１には、ＳＤメモリカード５３がコネクタ５３ａを介して接続される。ＳＤメモリカード５３は、内部に不揮発性メモリであるフラッシュメモリを内蔵しており、ブートローダ、ＯＳ（Operating System）、各種アプリケーション及び設定データが記憶されている。ＳｏＣ５１が起動するとき、ＣＰＵコアは、ブートローダを読み出して実行し、ＯＳ，各種アプリケーションを読み出し、ＤＤＲＳＤＲＡＭ５２に展開する。
【００２４】
ＳｏＣ５１には、ＲＡＩＤ（Redundant Arrays of Inexpensive Disks）モジュール５４が接続される。ＲＡＩＤモジュール５４には、ＳＡＴＡ（Serial Advanced Technology Attachment）バスによりＨＤＤ５５ａ及びＨＤＤ５５ｂが接続される。ＨＤＤ５５ａ、ＨＤＤ５５ｂは、ＬＡＮに接続されたノードに対して提供されるストレージである。ＲＡＩＤモジュール５４は、２台のＨＤＤ５５ａ，ＨＤＤ５５ｂの間でミラーリングを行い、冗長性を高めている（ＲＡＩＤ＿１）。
【００２５】
すなわち、ＨＤＤ５５ａ、ＨＤＤ５５ｂには全く同じデータが格納され、一方のＨＤＤが故障しても他方のＨＤＤでＮＡＳとしての運用を続けることができる。ここでは、２台のＨＤＤを使用した場合を例にあげたが、３台のＨＤＤでトリプルミラーリングを行い、さらに冗長性を高めてもよい。また、３台以上のＨＤＤの場合には、パリティ分散記録により冗長性を保ちつつＨＤＤの使用効率を上げるようにしてもよい（ＲＡＩＤ＿５）。
【００２６】
Ｓｏｃ５１には、前述のようにＰＣＩｅバスを介して無線ＬＡＮモジュール２が接続される。さらにＳｏＣ５１には、ＰＨＹチップ５６、操作パネル６０、ＲＴＣ（Real Time Clock）５７が接続される。ＰＨＹチップ５６は、論理的な信号と物理的な信号との間の変換を行うチップで、ＲＭＩＩ（Reduced Media Independent Interface）によりＳｏＣ５１に接続される。ＰＨＹチップ５６は、前記ＬＡＮケーブル１１ｂによりＵＴＭモジュール４に接続される。操作パネル６０及びＲＴＣ５７は、Ｉ２Ｃ（Inter-Integrated Circuit）シリアルバスによりＳｏＣ５１に接続される。
【００２７】
ＲＴＣ５７は、ＳｏＣ５１に日時情報を出力する。ＲＴＣ５７には電池５８が接続されており、無線ＬＡＮアクセスポイント装置１の電源がオフにされていても、ＲＴＣ５７は電池５８により計時動作を継続する。
【００２８】
図３は、前記操作パネル６０の外観を示している。操作パネル６０には液晶ディスプレイ６１、自動無線設定ボタン６２、ＬＥＤ（Light Emitting Diode）６３、６３，６５、６６、６７ａ，６７ｂ、表示操作ボタン６８ａ，７８ｂが配置される。液晶ディスプレイ６１は、装置の状態やエラーの発生等を文字により表示する。自動無線設定ボタン６２は、押されることにより後述の自動無線設定を開始するボタンである。
【００２９】
ＬＥＤ６３は無線ＬＡＮアクセスポイント装置１の電源状態を表示し、ＬＥＤ６４は、無線ＬＡＮアクセスポイント装置１のステータスを表示する。ＬＥＤ６５は有線ＬＡＮ９の状態を、ＬＥＤ６６は無線ＬＡＮ１４の状態をそれぞれ表示する。ＬＥＤ６７ａ、６７ｂは、それぞれＨＤＤ５５ａ、５５ｂの状態を表示する。これらのＬＥＤ６３〜６６、６７ａ、６７ｂには多色ＬＥＤを用い、点滅パターンと発光色で各種状態がユーザに判別できるようになっている。
【００３０】
次に、無線ＬＡＮモジュール２のＳＳＩＤの設定について説明する。この設定は、有線ＬＡＮ９（又は無線ＬＡＮ１４）に接続されたコンピュータ１３のブラウザを用いて行うことができる。コンピュータ１３のブラウザに所定のＵＲＬを入力することにより、ＮＡＳモジュール５にアクセスすることができる。ＮＡＳモジュール５は、ＷＥＢサーバアプリケーションを実行することにより、コンピュータ１３にＷＥＢＵＩ（WEB User Interface）を提供する。
【００３１】
ユーザは、コンピュータのブラウザを操作してＳＳＩＤ設定メニューを表示させる。この表示されたメニューから、ユーザは無線ＬＡＮモジュール２で使用するＳＳＩＤを登録する。無線ＬＡＮモジュール２には複数のＳＳＩＤを登録することができる。また、ユーザはＳＳＩＤに対して自動無線設定を割り当てるかどうかも設定できる。ＳＳＩＤとＳＳＩＤに対する自動無線設定の有無の状態は、コンピュータからＬＡＮを介してＮＡＳモジュール５のＳｏｃ５１で受信され、ＰＣＩｅバス１２を介して無線ＬＡＮモジュール２に転送され、無線ＬＡＮモジュール２内の図示しない不揮発性メモリに記憶される。
【００３２】
図４は一つのＳＳＩＤ（ｘ）を登録する手順を説明するフロー図である。図４のフローの開始時点では、コンピュータのブラウザでＳＳＩＤ設定画面が表示されている。まず、一つのＳＳＩＤ（ｘ）を登録するとともに、ＳＳＩＤ（ｘ）に対する接続先、周波数帯域等を設定する（ステップ（以下「Ｓ」と略称する）１）。次のＳ２の判定で自動無線設定を割り当てる場合には（ＹＥＳ）、Ｓ３の処理に分岐しＳＳＩＤ（ｘ）に自動無線設定を割り当ててＳＳＩＤ（ｘ）を登録する。Ｓ２の判定がＮＯの場合には、自動無線設定を割り当てずにＳＳＩＤ（ｘ）を登録する（Ｓ４）。登録するＳＳＩＤの数だけこの処理が繰り返される。
【００３３】
図６（ａ）では２つのＳＳＩＤ（１）、ＳＳＩＤ（２）が登録された場合を示している。ＳＳＩＤ１は、接続先はＷＡＮのみとされており、自動無線設定が割り当てられている。一方ＳＳＩＤ２は、接続先はＷＡＮ及びＬＡＮとされている自動無線設定は割り当てられていない。例えば、事業所の来客が無線ＬＡＮに接続してＷＡＮ８にアクセスしたい場合には、自動無線設定を適用して自動無線設定により来客の無線ＬＡＮステーション装置１５を無線ＬＡＮ１４のＳＳＩＤ（１）に接続する。ＳＳＩＤ（１）に接続した来客の無線ＬＡＮステーション装置１５では、ＷＡＮ８にのみアクセス可能で、ＮＡＳモジュール５のＨＤＤ５５ａ，５５ｂや、ＬＡＮ上のコンピュータ、サーバ、スマートフォン、タブレットなどのノードの情報は来客には見えない。なお、事業所に所属するユーザは、アソシエーションの手順を踏み、資格情報を入力してＳＳＩＤ（２）に接続することができ、ＷＡＮ及びＬＡＮのいずれにもアクセスできる。
【００３４】
図６（ｂ）では、同じく２つのＳＳＩＤ（１）、ＳＳＩＤ（２）が登録された場合を示しているが、ＳＳＩＤ（１）には２．４ＧＨｚ帯が、ＳＳＩＤ（２）には５ＧＨｚ帯が割り当てられている。そして、ＳＳＩＤ（１）に無線自動登録が割り当てられ、安定かつ屋外で使用可能な周波数で無線ＬＡＮ１４に接続できる構成をとることもできる。通信の高速性が重視される場合には、ＳＳＩＤ（１）に５ＧＨｚ、ＳＳＩＤ（２）に２．４ＧＨｚ帯を割り当てても良い。
【００３５】
次に、図６のようにＳＳＩＤが設定されている場合に、自動無線設定を使用して無線ＬＡＮステーション装置を無線ＬＡＮに接続する処理を、図５を参照しながら説明する。無線ＬＡＮモジュール２が正常に動作している場合に（このときＬＥＤ６６が点灯している）、無線ＬＡＮアクセスポイント装置１の自動無線設定ボタン６２を押されたかどうか判定する（Ｓ１１）。ユーザが自動無線設定ボタン６２を押すとＳ１１の判定はＹＥＳとなり、Ｓ１２の処理に分岐する。このとき、無線ＬＡＮステーション装置１５の自動無線設定ボタン１５ａも押される。
【００３６】
自動無線設定のボタン６２が押されたことはＳｏＣ５１で検知され、ＳｏＣ５１よりＰＣＩｅバス１２を介して無線ＬＡＮモジュール２に伝達される。ＳｏＣ５１は液晶ディスプレイ６１に自動無線設定にかかるＳＳＩＤ（１）を液晶ディスプレイ６１に表示する（Ｓ１２）。図３では、「ＳＳＩＤ（１）」と表示しているが、１６進数で直接表示するようにしてもよい。そして、ＳｏＣ５１はＬＥＤ６６の点滅を開始させて、自動無線設定が実行中であることをユーザに報知する（Ｓ１３）。
【００３７】
また、ＳｏＣ５１は、自動無線設定の開始をＰＣＩｅバス１２を介して無線ＬＡＮモジュール２に通知する。無線ＬＡＮモジュール２は自動無線設定を開始し、自動無線設定ボタンの押された無線ＬＡＮステーション装置１５との間で所定の信号をやり取りし、接続を確立する（Ｓ１４）。接続が確立すると自動無線設定は終了し、無線ＬＡＮモジュール２より設定の完了の通知を受けると、ＳｏＣ５１はＬＥＤ６６を点灯状態に戻す（Ｓ１５）。
【００３８】
上記実施の形態では、２つのＳＳＩＤがあり、その内１つのＳＳＩＤに自動無線設定を割り当てているが、３以上のＮ個のＳＳＩＤを有している場合には、そのうちｎ個にＳＳＩＤ（１≦ｎ＜Ｎ）に自動無線設定を割り当てることができる。また、上記実施の形態では、ＵＴＭモジュールとＮＡＳモジュールを組み込んだ無線ＬＡＮアクセスポイント装置について説明したが、無線ＬＡＮモジュールのみを含んだ単体の無線ＬＡＮアクセスポイント装置としても実現可能である。
【符号の説明】
【００３９】
１：無線ＬＡＮアクセスポイント装置
２：無線ＬＡＮモジュール
４：ＵＴＭモジュール
５：ＮＡＳモジュール
６：電源モジュール
８：ＷＡＮ
９：有線ＬＡＮ
１３：コンピュータ（ＰＣ）
１４：無線ＬＡＮ
１５：無線ＬＡＮステーション装置
１５ａ：自動無線設定ボタン
６０：操作パネル
６１：液晶ディスプレイ
６２：自動無線設定ボタン
【図１】
2019186878.tif 000003
【図２】
2019186878.tif 000004
【図３】
2019186878.tif 000005
【図４】
2019186878.tif 000006
【図５】
2019186878.tif 000007
【図６】
2019186878.tif 000008